(57)【要約】      （修正有）【課題】刈込刃の地面に対する高さを調整する高さ調整機構を備えた芝生バリカンにおいて、刈込刃が前側に傾いて地面に当たって破損するのを防ぐとともに、高さ調整作業を簡単に行えるようにする。【解決手段】芝生バリカンの刈込刃３１，３２の地面に対する高さ位置を調整する高さ調整機構５０は、地面に沿って摺動させるスライダ５１をハウジング１１の底部に備え、スライダ５１をハウジング１１底部の後端部に設けた支持部１３に前後方向と直交する水平軸線回りに回動可能に支持し、スライダ５１の前部に設けた係合部５３をハウジング１１の前部にて上下方向に配置した複数の係合凹部１５ａ〜１５ｃの何れか一つに選択的に係合させることにより、スライダ５１の前部のハウジング１１に対する上下位置を変更して刈込刃３１，３２の地面に対する高さ位置を変更可能とした。さらに、支持部１３には、スライダ５１を付勢する付勢手段１４を設けた。【選択図】図４
2015035972.tif 000002
【特許請求の範囲】
【請求項１】
ハウジングの内部に設けた原動機と、
前記ハウジングの下部にて前方に突出して設けられ、前記原動機の作動によってクランク機構を介して相対的に左右方向に往復動する上下一対の刈込刃と、
前記ハウジング底部に設けて前記刈込刃の地面に対する高さ位置を調整する高さ調整機構とを備えた芝生バリカンであって、
前記高さ調整機構は、地面に沿って摺動させるスライダを前記ハウジングの底部に備え、前記スライダを前記ハウジング底部の後端部に設けた支持部に前後方向と直交する水平軸線回りに回動可能に支持し、前記スライダの前部に設けた係合部を前記ハウジングの前部にて上下方向に配置した複数の係合凹部の何れか一つに選択的に係合させることにより、前記スライダの前部のハウジングに対する上下位置を変更して前記刈込刃の地面に対する高さ位置を変更可能としたものであり、前記支持部を前後方向に移動可能とするとともに、前記支持部には前記係合部が前記係合凹部に係合する方向に前記スライダを付勢する付勢手段を設けたことを特徴とする芝生バリカン。
【請求項２】
請求項１に記載の芝生バリカンにおいて、
前記スライダには前記ハウジングの側部に刈り取った芝を受けるレシーバ部を設けたことを特徴とする芝生バリカン。
【発明の詳細な説明】
【技術分野】
【０００１】
本発明は、芝を刈り取る芝生バリカンに関する。
【背景技術】
【０００２】
特許文献１及び２には芝を刈り取る芝生バリカンが開示されている。特許文献１及び２の芝生バリカンはハウジングの内部に設けた電動モータと、ハウジングの下部にて前方に突出して設けられ、電動モータの作動によってクランク機構を介して左右方向に往復動する上下一対の刈込刃とを備えている。
【０００３】
特許文献１の芝生バリカンは芝の刈込み高さを調整可能とするためのスライダをハウジングの底部に備えている。ハウジングの下側後部には後側に進むにつれて上方に傾斜するスライダの取付穴部が形成されており、スライダは取付穴部に摺動自在に嵌合して前側に向かうにつれて下方に傾斜する取付脚部と、取付脚部の下端に一体的に形成されてハウジングの下側に配置される偏平板部とを備えている。芝の刈込み高さを高くするときには、スライダの取付脚部をハウジングの取付穴部にて浅い位置で嵌合固定させると、スライダの扁平板部はハウジングの底面から離間し、刈込刃は地面から高い位置に配置される。これに対し、芝の刈込み高さを低くするときには、スライダの取付脚部をハウジングの取付穴部に深い位置で嵌合させると、スライダの扁平板部はハウジングの底面に近接し、刈込刃は地面から低い位置となる。
【０００４】
また、特許文献２の芝生バリカンは刈り取った芝を受け止めるとともに、芝の刈込み高さを調整可能とするための可撓性を有した樹脂部材よりなるレシーバを備えている。芝生バリカンのレシーバはハウジングの下側にて前部がハウジングの横幅より長く延びるＴ字形をした底板と、底板のハウジングの外側に延出した部分にて側部と後部から起立する背板とにより刈り取った芝を受けるレシーバ部を形成したものである。
【０００５】
レシーバは背板の後方にて底板後部の両側部からハウジングの両側面に沿って起立して前後方向に延びる取付板部を備えている。取付板部の内面には前後方向の中間部に上下方向に３つの第１凹部が形成され、ハウジングの両側面には第１凹部の何れか１つに選択的に係合させる第１突部が形成されている。また、ハウジングの後部には上下方向に並ぶ３つの第２凹部が形成され、レシーバの後部には第２凹部の何れか１つに選択的に係合させる第２突部が形成されている。この芝生バリカンでは、ハウジングの第１突部をレシーバの３つの第１凹部に係合させる高さ位置と、レシーバの第２突部をハウジングの３つの第２凹部に係合させる高さ位置とを変えることにより、レシーバのハウジングに対する上下位置を変え、刈込刃の地面に対する高さを変更可能としている。このレシーバをハウジングに対して取り付けるときには、レシーバの取付板の第１凹部にハウジングの第１突部を係合させた状態でレシーバを前後方向に撓ませ、レシーバの第２突部をハウジングの第２凹部に係合させるようにしている。
【先行技術文献】
【特許文献】
【０００６】
【特許文献１】特許第４９６５７０２号公報
【特許文献２】特開２００９−００５６５３号公報
【発明の概要】
【発明が解決しようとする課題】
【０００７】
上記の特許文献１の芝生バリカンにおいては、スライダの取付脚部をハウジングの取付穴部に挿入して嵌合固定させた位置により、スライダの扁平板部は刈込刃に対する前端位置が変わるようになっていた。すなわち、スライダの取付脚部をハウジングの取付穴部の浅い位置に嵌合させて刈込刃の高さを高くしたときには、スライダの扁平板部が刈込刃の前後方向の中間位置まで延出することになるが、スライダの取付脚部をハウジングの取付穴部の深い位置まで嵌合させて刈込刃の高さを低くしたときには、スライダの扁平板部が刈込刃の前後方向の後部に後退することになる。
【０００８】
刈込刃の高さを高くしたときには、スライダの偏平板部が刈込刃の前後方向の中間位置まで延出しているために、芝生バリカンの前側に力が加わっても、芝生バリカンが前側に傾きにくくなり、刈込刃が地面に当たって破損するおそれがない。これに対し、刈込刃の高さを低くしたときには、スライダの扁平板部が刈込刃の後部まで後退しているために、芝生バリカンの前側に力が加わると、芝生バリカンが前側に傾きやすくなり、刈込刃が地面に当たって破損するおそれがあった。
【０００９】
また、特許文献２のバリカンにおいては、レシーバのハウジングに対する上下位置を変えて、刈込刃の地面に対する高さを変更するときには、ハウジングの中間部の第１突部をレシーバの３つの第１凹部の何れか１つに選択的に係合させ、また、レシーバの第２突部をハウジングの後部の３つの第２凹部の何れか１つに選択的に係合させ、前後方向の２カ所で突部を複数の凹部に選択的に係合させるようにしている。そのため、レシーバを前後方向に撓ませるのに大きな力を加えなければならなく、高さ調整の作業が面倒であった。また、樹脂部材よりなるレシーバは屋外環境によって劣化して可撓性が低下することがあり、レシーバを前後方向に撓ませると、レシーバが十分に撓まずに割れて破損する問題があった。本発明は、刈込刃の高さを調整する高さ調整機構を備えた芝生バリカンにおいて、刈込刃が地面に当たって破損するのを防ぐとともに、高さ調整作業を簡単に行えるようにすることを目的とする。
【課題を解決するための手段】
【００１０】
上記課題を解決するために、本発明は、ハウジングの内部に設けた原動機と、ハウジングの下部にて前方に突出して設けられ、原動機の作動によってクランク機構を介して相対的に左右方向に往復動する上下一対の刈込刃と、ハウジング底部に設けて刈込刃の地面に対する高さ位置を調整する高さ調整機構とを備えた芝生バリカンであって、高さ調整機構は、地面に沿って摺動させるスライダをハウジングの底部に備え、スライダをハウジング底部の後端部に設けた支持部に前後方向と直交する水平軸線回りに回動可能に支持し、スライダの前部に設けた係合部をハウジングの前部にて上下方向に配置した複数の係合凹部の何れか一つに選択的に係合させることにより、スライダの前部のハウジングに対する上下位置を変更して刈込刃の地面に対する高さ位置を変更可能としたものであり、支持部を前後方向に移動可能とするとともに、支持部には係合部が係合凹部に係合する方向にスライダを付勢する付勢手段を設けたことを特徴とする芝生バリカンを提供するものである。
【００１１】
上記のように構成した芝生バリカンにおいては、高さ調整機構は、地面に沿って摺動させるスライダをハウジング底部の後端部に設けた支持部に前後方向と直交する水平軸線回りに回動可能に支持し、スライダの前部に設けた係合部をハウジングの前部にて上下方向に配置した複数の係合凹部の何れか一つに選択的に係合させることにより、スライダの前部のハウジングに対する上下位置を変更して刈込刃の地面に対する高さ位置を変更可能としたものである。このため、刈込刃の地面に対する高さ位置を上下方向に調整しても、スライダの前端位置が刈込刃の高さに関わらず刈込刃の前後方向に対して変わらないようになる。これにより、芝生バリカンが前側に傾きにくくなり、刈込刃が地面に当たって破損するおそれがない。また、ハウジングの支持部を前後方向に移動可能とするとともに、支持部には係合部が係合凹部に係合する方向にスライダを付勢する付勢手段を設けたので、刈込刃の高さ位置を変更するときには、付勢手段の付勢力に抗してスライダの係合部がハウジングの係合凹部から離脱する方向にスライダを移動させ、スライダの係合部を適宜な上下位置の係合凹部に係合可能な位置とすることで、スライダの係合部が再び付勢手段により係合凹部に係合することになり、スライダの上下位置の変更が簡単にできるようになった。
【図面の簡単な説明】
【００１２】
【図１】本発明の芝生バリカンの一実施形態の斜視図である。
【図２】図１の側面図である。
【図３】図２の前後方向に沿った断面図である。
【図４】刈込刃の地面に対する高さ変更をするときの芝生バリカンの下部を示す一部破断断面図であり、（ａ）は係合部が中段の係合凹部に係合しているとき、（ｂ）は係合部を係合凹部から離脱させたとき、（ｃ）は係合部を下段の係合凹部に係合させたときの図である。
【発明を実施するための最良の形態】
【００１３】
以下、本発明の芝生バリカンの一実施形態を添付図面を参照して説明する。図１〜図３に示したように、芝生バリカン１０は、後部に作業者が把持するグリップ１２が一体的に設けられたハウジング１１を備えている。芝生バリカン１０は、ハウジング１１の内部に直立して設けた電動モータ（原動機）２１と、ハウジング１１の下部にて前方に突出して設けられ、ハウジング１１の下部に設けたクランク機構を介して上下一対の刈込刃３１，３２と、ハウジング１１の底部に刈込刃３１，３２の地面に対する高さを調整する高さ調整機構５０とを備えている。
【００１４】
ハウジング１１底部の後端部には後述する高さ調整機構５０のスライダ５１を支持する支持ブロック（支持部）１３が設けられている。支持ブロック１３はハウジング１１底部の後端部に設けた前後方向に延びる取付穴１１ａ内にて前後方向に移動可能に取り付けられている。取付穴１１ａ内にはコイルスプリング（付勢手段）１４が介装されており、支持ブロック１３は取付穴１１ａ内でコイルスプリング１４により後方に付勢されている。ハウジング１１の両側部の下側前部にはスライダ５１の前部の係合部５３を上下方向に調整可能に係合させる上下方向に並ぶ３つの係合凹部１５（１５ａ〜１５ｃ）が形成されている。これら係合凹部１５（１５ａ〜１５ｃ）はスライダ５１の係合部５３を前側から係合させるように前側に開口している。
【００１５】
図３に示したように、電動モータ２１の出力軸２１ａにはピニオンギヤ２２が設けられており、ピニオンギヤ２２にはハウジング１１内に設けた支持軸２３に回転可能に支持された第１中間ギヤ２４が噛み合っている。また、第１中間ギヤ２４の下部にはこれより小径の第２中間ギヤ２５が一体的に設けられており、第２中間ギヤ２５は第１中間ギヤ２４とともに支持軸２３に回転可能に支持されている。この第２中間ギヤ２５にはハウジング１１内の下部に設けた支持軸２６に回転可能に支持された駆動ギヤ２７が噛み合っている。駆動ギヤ２７の下面にはクランク機構を構成するクランクカム２８が２本のピンにより固定されており、クランクカム２８には駆動ギヤ２７から動力が伝達されるようになっている。クランクカム２８は支持軸２６に対して偏心して配置した上下一対の円板２８ａ，２８ｂよりなる。このクランクカム２８の両円板２８ａ，２８ｂの中心は支持軸２６を挟んで対向する位置、すなわち１８０°の位相差となっている。
【００１６】
図１〜図３に示したように、ハウジング１１の下部には上下一対の刈込刃３１，３２が前方に突出して設けられており、刈込刃３１，３２はハウジング１１の下部にて左右方向に移動可能に支持されている。刈込刃３１，３２はハウジング１１の下部に取り付けた後部から前方に延びた前部がハウジング１１の幅より左右方向に長い幅広な形状となっており、刈込刃３１，３２の前部には櫛歯状の刃部３１ａ，３２ａが形成されている。また、刈込刃３１，３２の後部には前後方向に長い角丸長方形状をした係合孔３１ｂ，３２ｂが形成されている。刈込刃３１，３２の各係合孔３１ｂ，３２ｂにはクランクカム２８の各円板２８ａ，２８ｂが長手方向にスライド移動可能に係合している。
【００１７】
電動モータ２１の駆動により駆動ギヤ２７を回転させると、クランクカム２８の各円板２８ａ，２８ｂは支持軸２６を中心に公転する。各円板２８ａ，２８ｂが各刈込刃３１，３２の係合孔３１ｂ，３２ｂを長手方向にスライド移動することにより、各刈込刃３１，３２は左右方向に往復動する。このとき、クランクカム２８の各円板２８ａ，２８ｂは支持軸２６に対して１８０°の位相差に配置されていることにより、刈込刃３１，３２は互いに左右方向の逆向きに往復動する。
【００１８】
図１及び図２に示したように、ハウジング１１の前部には刈込刃３１，３２の上側を覆うガード板４０が設けられており、ガード板４０の後部から後方に延出する支持腕部４１，４１がハウジング１１の側部に着脱可能に係合している。ガード板４０はアクリル樹脂、ポリ塩化ビニル樹脂等の透明な硬質の樹脂部材よりなる。ガード板４０は刈込刃３１，３２の幅より少し長い長さをし、刈込刃３１，３２の前端より少し前方に突出している。
【００１９】
芝生バリカン１０は刈込刃３１，３２の地面に対する高さ位置を調整する高さ調整機構５０を備え、高さ調整機構５０は芝の刈込み高さを調整することを目的としたものである。高さ調整機構５０はハウジング１１の底部に地面に沿って摺動させるスライダ５１を備え、スライダ５１の前部のハウジング１１に対する上下位置を変更することにより、刈込刃３１，３２の地面に対する高さ位置を変更可能とするものである。スライダ５１の後端には左右方向に延びる回動軸部５１ａが設けられており、スライダ５１の回動軸部５１ａはハウジング１１底部の後端部に設けた支持ブロック１３の後端の凹部１３ａに回動自在に係合している。上述したように、支持ブロック１３は取付穴１１ａ内にてコイルスプリング１４により後方に付勢された状態で前後方向に移動可能に取り付けられており、スライダ５１は支持ブロック１３によってハウジング１１に対して前後に摺動自在に支持された状態で、前後方向と直交する方向に回動可能に取り付けられている。
【００２０】
スライダ５１は地面に沿って摺動する底壁５１ｂと、底壁５１ｂの側部からハウジング１１の左右の側面に沿って起立する側壁５１ｃとを備えている。底壁５１ｂはハウジング１１の底面を覆い、底壁５１ｂの前端位置は刈込刃３１，３２の櫛歯状の刃部３１ａ，３２ａの基端位置まで延出している。底壁５１ｂの中間部から前部は側壁５１ｃを越えるようにハウジング１１の側方にて外側に延び、底壁５１ｂの前部の側端縁と後端縁には周壁５１ｄが起立して形成され、底壁５１ｂと側壁５１ｃ及び周壁５１ｄによって刈込刃３１，３２により刈り取った芝を受けるレシーバ部５２が形成されている。
【００２１】
図４に示したように、スライダ５１の両側壁５１ｃには内面前端部にハウジング１１の側面に突出する係合部５３が形成されている。係合部５３はハウジング１１の両側面の前部に形成された上下方向に並ぶ３つの係合凹部１５（１５ａ〜１５ｃ）の１つに前側から係合可能となっている。係合部５３を上段の係合凹部１５ａに係合させたときには、スライダ５１の底壁５１ｂはハウジング１１の底面に最も近接し、刈込刃３１，３２の先端部は地面から１５ｍｍの高さとなって最も低い位置となる。また、係合部５３を中段の係合凹部１５ｂに係合させたときには、スライダ５１の底壁５１ｂはハウジング１１の底面から少し離間し、刈込刃３１，３２の先端部は地面から２０ｍｍの高さとなる。係合部５３を下段の係合凹部１５ｃに係合させたときには、スライダ５１の底壁５１ｂはハウジング１１の底面から最も離間し、刈込刃３１，３２の先端部は地面から２５ｍｍの高さとなって最も高い位置となる。
【００２２】
上記のように構成した芝生バリカン１０の作動について説明する。芝生バリカン１０においては、電動モータ２１を作動させると、出力軸２１ａのピニオンギヤ２２に係合した第１中間ギヤ２４が回転し、この第１中間ギヤ２４とともに回転する第２中間ギヤ２５に係合した駆動ギヤ２７が回転する。駆動ギヤ２７の回転が２つのピンにより固定したクランクカム２８に動力伝達され、クランクカム２８の各円板２８ａ，２８ｂが支持軸２６に対して偏心して回転する。クランクカム２８の各円板２８ａ，２８ｂは１８０°の位相差をもって支持軸２６に対して偏心して回転しながら刈込刃３１，３２の各係合孔３１ｂ，３２ｂをスライド移動することで、刈込刃３１，３２は互いに逆向きに左右方向に往復動する。
【００２３】
作業者がハウジング１１のグリップ１２を把持し、ハウジング１１の底部に設けたスライダ５１を芝が生えた地面に沿って摺動させると、左右方向に相対的に往復動する刈込刃３１，３２の刃部３１ａ，３２ｂにより芝が刈り取られる。また、刈込刃３１，３２の上側に刈込刃３１，３２より前方に少し突出したガード板４０が設けられているので、際刈りと呼ばれる構造物の近傍の芝を刈るときに、刈込刃３１，３２は刃部３１ａ，３２ｂが構造物に接触することによる破損を防ぐことができる。
【００２４】
上記のように構成した芝生バリカン１０においては、高さ調整機構５０は地面に沿って摺動させるスライダ５１をハウジング１１の底部に備え、スライダ５１をハウジング１１底部の後端部に設けた支持ブロック１３に前後方向と直交する水平軸線回りに回動可能に支持した。スライダ５１は側壁５１ｃの前部に設けた係合部５３をハウジング１１の側壁前部にて上下方向に配置した複数の係合凹部１５（１５ａ〜１５ｃ）の何れか１つに選択的に係合させることにより、スライダ５１の前部のハウジング１１に対する上下位置を変更して、刈込刃３１，３２（特に先端部の刃部３１ａ，３２ａ）の地面に対する高さ位置を変更可能とした。このように、スライダ５１の前部を上下に回動させることにより刈込刃３１，３２の地面に対する高さ位置を上下方向に調整するものであるので、スライダ５１の底壁５１ｂの前端位置は刈込刃３１，３２の高さに関わらず刈込刃３１，３２の刃部３１ａ，３２ａの基端位置まで常に覆うようになる。これにより、芝生バリカン１０の前側に力が加わっても、刈込刃３１，３２の高さに関わらず、芝生バリカン１０が前側に傾きにくくなり、刈込刃３１，３２が地面に当たって破損するおそれがない。
【００２５】
また、ハウジング１１の支持ブロック１３にはスライダ５１の係合部５３がハウジング１１の係合凹部１５（１５ａ〜１５ｃ）に係合する方向（この実施形態では後方）にスライダ５１を付勢するコイルスプリング１４を設けた。スライダ５１はコイルスプリング１４により後方に付勢されており、図４（ａ）に示したように、係合部５３がその一例として中段の係合凹部１５ｂに係合している。この状態から、図４（ｂ）に示したように、スライダ５１をコイルスプリング１４による付勢力に抗して前側に移動させると、係合部５３は係合凹部１５ｂから離脱し、スライダ５１の前側を上下に移動させることにより、係合部５３が係合凹部１５ａ〜１５ｃの１つに選択的に係合可能な位置となる。図４（ｃ）に示したように、係合部５３が下段の係合凹部１５ｃに係合可能な上下位置となるようにスライダ５１の前側を下側に移動させ、スライダ５１をコイルスプリング１４の付勢力に抗して前側に移動させた状態を解除すると、スライダ５１はコイルスプリング１４による付勢力により後方に移動し、係合部５３は下段の係合凹部１５ｃに係合する。
【００２６】
このように、刈込刃３１，３２の地面に対する高さ位置を変更するときには、コイルスプリング１４の付勢力に抗してスライダ５１の係合部５３がハウジング１１の係合凹部１５（１５ａ〜１５ｃ）から離脱する方向（この実施形態では前方）にスライダ５１を移動させ、スライダ５１の係合部５３を適宜な上下位置の係合凹部１５（１５ａ〜１５ｃ）に係合可能な位置とし、スライダ５１をコイルスプリング１４の付勢力に抗して前側に移動させた状態を解除すると、スライダ５１の係合部５３が再びコイルスプリング１４の付勢力により係合凹部１５（１５ａ〜１５ｃ）に係合するようになる。これにより、スライダ５１を大きな力で撓ませる必要がなく、スライダ５１の高さ調整が簡単にできるようになった。また、スライダ５１を高さ調整のために撓ませる必要がないので、スライダ５１が破損しにくくなった。
【００２７】
上記のように構成した芝生バリカン１０においては、スライダ５１を支持ブロック１３を介してコイルスプリング１４により後方に付勢させ、スライダ５１の係合部５３をハウジング１１の係合凹部１５（１５ａ〜１５ｃ）に前側から係合させているが、本発明はこれに限られるものでなく、スライダ５１をコイルスプリング１４により前方に付勢させ、スライダ５１の係合部５３をハウジング１１の係合凹部１５（１５ａ〜１５ｃ）を後側から係合させたものであっても同様の作用効果を得ることができる。
【００２８】
上記のように構成した芝生バリカン１０においては、ハウジング１１の側壁下部の前部に３つの係合凹部１５ａ〜１５ｃを形成し、刈込刃３１，３２の高さ位置を上下方向に３段階に位置調整可能としたが、本発明はこれに限られるものでなく、係合凹部を上下方向に２つまたは４つ以上形成し、刈込刃３１，３２の高さ位置を上下方向に２段階または４段階以上に位置調整可能としてもよい。
【００２９】
上記のように構成した芝生バリカン１０においては、付勢手段としてコイルスプリング１４を用いたが、本発明はこれに限られるものでなく、他に板バネ、ゴム等の弾性部材を用いてスライダ５１を後方または前方に付勢させたものであってもよい。
【００３０】
上記のように構成した芝生バリカン１０においては、原動機には電動モータ２１を用いたが、本発明はこれに限られるものでなく、小型のエンジンを用いたものであっても同様の作用効果を得ることができる。
【００３１】
また、上述の各実施形態では、クランク機構により刈込刃３１，３２の両方が互いに逆向きに往復動する例を示したが、一方の刈込刃を往復動することなく固定し、他方の刈込刃をクランク機構により左右方向に往復動させることにより、相対的に刈込刃が往復動する片刃駆動の芝生バリカンであってもよい。
【符号の説明】
【００３２】
１０…芝生バリカン、１１…ハウジング、１３…支持部（支持ブロック）、１４…付勢手段（コイルスプリング）、１５（１５ａ〜１５ｃ）…係合凹部、２１…原動機（電動モータ）、３１，３２…刈込刃、５０…高さ調整機構、５１…スライダ、５３…係合部。
【図１】
2015035972.tif 000003
【図２】
2015035972.tif 000004
【図３】
2015035972.tif 000005
【図４】
2015035972.tif 000006